(57)【特許請求の範囲】
【請求項１】
陳列ケース内に設置する商品陳列棚の設置方法であって、該商品陳列棚は、商品を載置する１以上の平面及び１以上の斜面を一方向に隣接して設け、一端は端に商品落下防止部を備えた平面を有し且つ他端は平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列することを特徴とする陳列ケース用の商品陳列棚の設置方法。
【請求項２】
前記斜面の傾斜角は平面に対して１８度±８度であることを特徴とする請求項１記載の陳列ケース用の商品陳列棚の設置方法。
【請求項３】

前記裏陳列面の仕切り板の嵌合溝は、前記一方向に直交する方向に少なくとも１以上設けたことを特徴とする請求項１又は２記載の陳列ケース用の商品陳列棚の設置方法。
【発明の詳細な説明】
【０００１】
【発明の属する技術分野】
本発明は、主にスーパー、百貨店、専門店、コンビニエンスストアー等の店内の陳列ケース内で商品を陳列するのに用いられ、商品の特性に合わせて陳列ケース内の陳列を多面的に変えることができる商品陳列棚に関する。
【０００２】
【従来の技術】
従来、スーパー、百貨店、専門店、コンビニエンスストアー等の店内の陳列ケース内で商品を陳列する方法は、最も単純なものとして、(1) 陳列ケース内の水平スペースに仕切りを設け、その仕切りごとに商品を並べたり、箱状物に商品を並べ、この箱状物ごと水平スペースに載せた方法がある。また、(2) 陳列ケース内の水平スペース、特に最下段の水平スペースでは奥の商品は客が見づらく、しかも商品を取りづらいから、奥に台を設置しその上に陳列板を置き傾斜させた陳列棚として、その傾斜させた陳列棚に仕切りを設け、その仕切りごとに商品を並べたり、箱状物に商品を並べこの箱状物ごと傾斜させた陳列棚に載せた方法がある。更に、(3) 陳列ケース内の最下段用の陳列棚として、予め雛壇や傾斜面を設置した傾斜専用陳列棚があり、その雛壇や傾斜面に直接商品を並べたり、箱状物に商品を並べこの箱状物ごと雛壇や傾斜面に載せた方法がある。
【０００３】
これらスーパー等の店内での商品陳列方法は、それにより商品の売れ行きが左右されることが多いから、上記した方法以外にも工夫を凝らし、様々な方法が取られる。しかし、その基本とする所は、水平スペースのまま、傾斜させた陳列棚、傾斜専用陳列棚の各種の陳列スペースに、仕切り板や箱状物により商品を仕切り陳列するものである。
【０００４】
【発明が解決しようとする課題】
上記(1) 、(2) の商品陳列方法では、水平スペースや傾斜させた陳列棚に合わせた仕切り板や箱状物を用意する必要があり、それら仕切り板や箱状物は、対応した水平スペースや傾斜させた陳列棚以外には全く使用出来なかったり、あるいは使用出来ても、見た目勝負の色彩の強い商品陳列では、結局使用出来ないことが多い。このため、仕切り板や箱状物は各種形状のもの及びその種類における各サイズのものが必要になり、模様替えの度に不用となる仕切り板や箱状物が出てきたり、新たに購入する必要が生じる。また、逆に不用となった仕切り板や箱状物は再び使用する機会もあると想定されるため、廃棄出来ず保管することになる確率が高く、そのための保管スペースが必要になる。
【０００５】
また、(3) の傾斜専用陳列棚を利用した商品陳列方法では、予め雛壇や傾斜面を設置してあるから、取扱いが容易で、上記した(1) 、(2) の商品陳列方法の不都合な点が減り都合がよい。しかし、最近の傾向である商品の多様化、競争激化による頻繁な模様替えに対して、この傾斜専用陳列棚は、予め設置してある雛壇や傾斜面を変更することは困難であるから、十分に対応することは出来ず、様々な形状の傾斜専用陳列棚が必要となる。従って、上記した(1) 、(2) の商品陳列方法の不都合な点と同じような結果になる。
【０００６】
従って、本発明の目的は、少ない部品で、商品の多様化、頻繁に起こる模様替えに十分に対応出来、模様替えの度に不用となったり、新たに購入する必要性を少なくし、かつ保管のためのスペースを減らすことができる陳列ケース用の商品陳列棚を提供することにある。
【０００７】
【課題を解決するための手段】
かかる状況において、本発明者らは、鋭意検討を行った結果、商品陳列棚は商品を載置する１以上の斜面を一方向に隣接して設けて商品の表陳列面を形成し、前記表陳列面の裏側に仕切り板の嵌合溝を少なくとも１以上設けて裏陳列面を構成してなり、前記陳列ケース内に設置台を配設し、該設置台に商品陳列棚の前記表陳列面及び裏陳列面のいずれか一方を置き、いずれか他方に商品を陳列すれば、表陳列面及び裏陳列面のいずれも使用でき、かつ両陳列面ともいずれの方向に設置しても使用でき、様々な商品陳列を可能にし、しかも予備部品もほとんど必要ないことを見出し、本発明を完成するに至った。
【０００８】
すなわち、本発明は、陳列ケース内に設置する商品陳列棚の設置方法であって、該商品陳列棚は、商品を載置する１以上の平面及び１以上の斜面を一方向に隣接して設け、一端は端に商品落下防止部を備えた平面を有し且つ他端は平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列することを特徴とする陳列ケース用の商品陳列棚の設置方法を提供するものである。
【０００９】
また、本発明は、前記斜面の傾斜角は平面に対して１８度±８度であることを特徴とする前記陳列ケース用の商品陳列棚の設置方法を提供するものである。また、本発明は、前記裏陳列面の仕切り板の嵌合溝は、前記一方向に直交する方向に少なくとも１以上設けたことを特徴とする前記陳列ケース用の商品陳列棚の設置方法を提供するものである。
【００１０】
【発明の実施の形態】
以下、実施の形態を挙げて本発明を図１〜図８に基づいて詳述する。
図１は本発明の実施の形態における陳列ケース用の商品陳列棚を示す斜視図、図２は図１の陳列ケース用の商品陳列棚を裏返した状態を示す斜視図、図３は図１の陳列ケース用の商品陳列棚の設置状態を示す斜視図、図４は図１の陳列ケース用の商品陳列棚の様々な設置状態を示す斜視図である。図面において、陳列ケース用の商品陳列棚１は、陳列ケース２内に設置台３を配設し、この設置台３に設置する商品陳列棚４であって、この商品陳列棚４は、厚板の１面に表陳列面５を設け、その裏側に裏陳列面６を設けてなるものである。商品陳列棚４の表陳列面５は、１以上の斜面７及び１以上の平面８を、一方向、すなわち、矢線Ａ方向に隣接して設け、この一方向一端に商品落下防止部９を有し且つ他端に平面１０を有して構成する。裏陳列面６は、表陳列面５の裏側に仕切り板１１の嵌合溝１２を少なくとも１以上設けてなる。そして、上記陳列ケース用の商品陳列棚１は、陳列ケース２内に配設した設置台３に商品陳列棚４の表陳列面５及び裏陳列面６のいずれか一方を置き、いずれか他方に商品１３を陳列するものである。
【００１１】
前記陳列ケース２は、特に限定はないが、この好適な実施形態として、図３、４に、開放型冷蔵ケースの最下段のスペース２０に商品陳列棚４を設置する場合を示している。そして、最下段のスペース２０には落下防止板２１が設けられ、商品陳列棚４を設置した際、商品陳列棚４の最下位に陳列した商品１３が陳列ケース２外に落下しないようになっている。また、前記設置台３は、直方体であり、それぞれの辺長さが異なったものを使用し、設置台の置き方により、商品陳列棚４を３種類の高さに変えられるようにしている。
【００１２】
前記商品陳列棚４の表陳列面５は、１の斜面７及び１の平面８で１つの商品載置面を構成し、この商品載置面が３つあり、これら３つの商品載置面からの商品の落下を防ぐ商品落下防止部９が設けられているが、これら商品落下防止部９には、図１中、右端の商品落下防止部９ａ、斜面７トップにある商品落下防止部９ｂの２種類がある。そして、平面８に対する斜面７の傾斜角αは１８度±８度であり、図１、３及び後述の図５、６の場合、斜面７及び平面８、１０はそのままの状態で使用される。なお、１つの商品載置面は平面８が無く、斜面７のみで構成してもよいが、この場合には斜面７の傾斜角αを１８度±８度の範囲に保持しようとすると、斜面７の頂上側にある商品落下防止部９ｂが高くなり過ぎるきらいがある。従って、この状態になると、商品落下防止部９ａと斜面７の頂上側の商品落下防止部９ｂとの距離の確保が難しくなり、商品載置面としては平面８及び斜面７の双方がある方が好ましい。また、表陳列面５は設置スペースが水平でも傾斜でも使用可能である。
【００１３】
なお、前記商品陳列棚４の表陳列面５は、図４の左側に示すような使用方法がある。すなわち、この使用方法は、図１に示す状態の商品陳列棚４を平面内において１８０度回転させた状態の商品陳列棚４ａを使用するものであり、斜面７は平面として、平面８は斜面として、平面１０（平面１０は平面８に比べて僅かに緩傾斜している。）は斜面並びに商品落下防止部の代わりとして、それぞれ使用されることになる。
【００１４】
前記裏陳列面６は、図２に示すように、前記矢線Ａ方向に直交する方向に嵌合溝１２が多数設けられている。そして、この嵌合溝１２には仕切り板１１の抜け防止が設けられ、仕切り板１１を嵌めた際抜け難くしている。なお、この嵌合溝１２の設置方向は特に限定がないから、矢線Ａ方向に対して平行に設けても差し支えない。また、裏陳列面６は設置スペースが水平でも傾斜していても使用可能である。
【００１５】
次に、上記構成になる陳列ケース用の商品陳列棚１の使用方法を説明する。
まず、設置場所である陳列ケース２に適した陳列ケース用の商品陳列棚１、すなわち、設置台３及び商品陳列棚４を選択すると共に、その必要数を用意する。設置台３は本実施の形態例では縦寸法と横寸法が異なる直方体である。そして、陳列する商品１３がリンゴ、ジャガイモ、葉物野菜等で傾斜／ボリューム陳列としたい場合は、図５に示すように、開放型冷蔵ケースである陳列ケース２の最下段のスペース２０に設置台３を設置台の高さが低くなるように設置し、更に、この設置台３上及びスペース２０上に、図１に示す状態の商品陳列棚４を、商品落下防止部９ａが設置台３側に、平面１０が前記落下防止板２１側にくるように設置する。その後、表陳列面５上にリンゴ、ジャガイモ、葉物野菜等の商品１３を傾斜／ボリューム陳列とする。また、陳列傾斜を変えたい場合は、図６に示すように、陳列ケース２の最下段のスペース２０に設置台３を設置台の設置高さが高くなるように設置すればよい。
【００１６】
陳列する物がパック物、アスパラ、ゴボウ、長ネギ等でヒナ段／パック物等陳列としたい場合は、図７に示すように、図４の左側の状態の商品陳列棚４ａを使用すればよい。すなわち、陳列ケース２の最下段のスペース２０に設置台の設置高さが高くなるように設置した設置台３上及びそのスペース２０上に、図４に示す状態の商品陳列棚４ａを、平面１０が設置台３側に、商品落下防止部９ａが前記落下防止板２１側に来るように、設置する。その後、表陳列面５上にパック物、アスパラ、ゴボウ、長ネギ等の商品１３をヒナ段／パック物等陳列とする。また、陳列傾斜を変えたい場合は、図５に示すように、陳列ケース２の最下段のスペース２０に設置台３を設置台の高さが低くなるように設置すればよい。
【００１７】
陳列する物がパック物、大根、その他で斜面陳列としたい場合は、図８に示すように、図２に示す状態の商品陳列棚４を使用すればよい。すなわち、陳列ケース２の最下段のスペース２０に設置した設置台３上及びそのスペース２０上に、図２に示す状態の商品陳列棚４を、平面１０が設置台３側に、商品落下防止部９ａが前記落下防止板２１側に来るように、設置する。その後、裏陳列面６上にパック物、大根、その他の商品１３を斜面陳列とする。また、陳列傾斜を変えたい場合は、図５に示すように、陳列ケース２の最下段のスペース２０に設置台３を設置すればよい。
【００１８】
以上のように、陳列ケース用の商品陳列棚１は商品の特性、設置場所の状況等に合わせて種々の使い勝手がある。
【００１９】
以上、本発明の実施形態を説明したが、具体的な構成はこれに限定されず、本発明の要旨を逸脱しない範囲での変更、追加は本発明の範囲内である。
【００２０】
【発明の効果】
以上詳述したように、本発明によれば、高さ可変の設置台と１以上の斜面を有する表陳列面とで、斜面をそのまま使用する場合、斜面を平面として使用する場合並びに傾斜角の選択により、商品の特性に応じた様々な陳列が可能となる。一方、高さ可変の設置台と裏陳列面とでも、嵌合溝に仕切り板を嵌めた場合、仕切り板を嵌めない場合並びに傾斜角の選択により、商品の特性に応じた様々な陳列が可能となる。従って、本発明の陳列ケース用の商品陳列棚１は、少ない部品で、商品の多様化、頻繁に起こる模様替えに十分に対応出来、模様替えの度に不用となったり、新たに購入する必要性を少なくし、かつ保管のためのスペースを減らすことができる効果がある。また、１以上の平面が存在することにより、斜面の傾斜角を一定角度以上に保持しても商品落下防止部が高くならず、物の特性に応じた陳列が行い易い。従って、上記効果に加え、陳列の選択肢が増え、バラエティーに富んだ商品陳列が可能となる。
【００２２】
本発明によれば、傾斜した設置スペースに対する表陳列面の配置の仕方により、傾斜角が１８度±８度である斜面及び平面に対して設置スペースの傾斜角が加わり、更に急傾斜の表陳列面となり、商品の特性に応じた陳列ができ、上記と逆の表陳列面の置き方により、斜面及び平面に対して設置スペースの傾斜角が加わって、斜面が水平となり平面が傾斜して雛壇状になり、この雛壇に適する物の陳列ができる。従って、上記効果に加え、傾斜した設置スペースに対して種々の物の陳列ができる効果がある。
【００２３】
本発明によれば、裏陳列面の１以上の嵌合溝に仕切り板を嵌めて、商品を陳列すれば仕切り板により前記一方向に対して物が保持され、物の特性に応じた陳列が可能となって、多方面利用ができる。従って、上記効果に加え、スペースの状況に係わりなく、種々の物の陳列が可能となる。
【図面の簡単な説明】
【図１】本発明の実施の形態である陳列ケース用の商品陳列棚を示す斜視図である。
【図２】図１の陳列ケース用の商品陳列棚を裏返した状態を示す斜視図である。
【図３】図１の陳列ケース用の商品陳列棚の設置状態を示す斜視図である。
【図４】図１の陳列ケース用の商品陳列棚の様々な設置状態を示す斜視図である。
【図５】本発明の実施の形態である陳列ケース用の商品陳列棚の様々な使用状態を示す一部を断面した側面図である。
【図６】本発明の実施の形態である陳列ケース用の商品陳列棚の様々な使用状態を示す一部を断面した側面図である。
【図７】本発明の実施の形態である陳列ケース用の商品陳列棚の様々な使用状態を示す一部を断面した側面図である。
【図８】本発明の実施の形態である陳列ケース用の商品陳列棚の様々な使用状態を示す一部を断面した側面図である。
【符号の説明】
１                      陳列ケース用の商品陳列棚
２                      陳列ケース
３                      設置台
４、４ａ                商品陳列棚
５                      表陳列面
６                      裏陳列面
７                      斜面
８、１０                平面
９、９ａ、９ｂ          商品落下防止部
１１                    仕切り板
１２                    嵌合溝
１３                    商品
２０                    スペース
２１                    商品落下防止板
【図１】
0004574776.tif 000002
【図２】
0004574776.tif 000003
【図３】
0004574776.tif 000004
【図４】
0004574776.tif 000005
【図５】
0004574776.tif 000006
【図６】
0004574776.tif 000007
【図７】
0004574776.tif 000008
【図８】
0004574776.tif 000009